(57)【要約】【課題】ダーマルフィラの注入に際し、カニューレが誤って血管内に入ってもダーマルフィラによる血管内塞栓が防止されるカニューレユニット及びプレフィルド注射器を提供する。【解決手段】カニューレユニット１７は、カニューレ２１と、チューブ２２とを備える。カニューレ２１は、管状に形成されており、ダーマルフィラ１１を流す管路２１ｐの一端が側面に第１の開口３１を形成している。カニューレ２１の先端部２１ｂには第２の開口３２が形成されている。チューブ２２は、カニューレ２１の内径ｄ２１よりも小さな外径Ｄ２２をもち、管路２１ｐに挿通されている。チューブ２２の一端は、第２の開口３２に接続し、他端がカニューレ２１の基端側に配されている。  を備える。【選択図】図２
2020178969.tif 000002
【特許請求の範囲】
【請求項１】
管状に形成されており、ダーマルフィラを流す管路の一端が側面に第１の開口を形成しており、先端部に第２の開口が形成されているカニューレと、
前記カニューレの内径よりも小さな外径をもち、前記管路に挿通されており、一端が前記第２の開口に接続し、他端が前記カニューレの基端側に配されたチューブと
を備えることを特徴とするカニューレユニット。
【請求項２】
前記先端部は、先端に向かうに従い外径が漸減している請求項１に記載のカニューレユニット。
【請求項３】
前記先端部は円錐形状である請求項２に記載のカニューレユニット。
【請求項４】
前記カニューレを前記先端側から見たときに、前記先端は前記カニューレの断面円形の中央に位置している請求項２または３に記載のカニューレユニット。
【請求項５】
前記第２の開口は、前記先端部のうち先端を避けた位置とされている請求項１ないし４のいずれか１項に記載のカニューレユニット。
【請求項６】
前記カニューレは、長手方向において外径が一定の胴部と、前記胴部に接続する前記先端部とを有し、
前記第１の開口は前記胴部に形成されている請求項１ないし５のいずれか１項に記載のカニューレユニット。
【請求項７】
前記カニューレを前記基端側で支持する支持部材をさらに備え、
前記チューブの前記他端は前記カニューレの前記管路の他端から突出し、前記チューブの中空部は前記支持部材に形成された貫通孔に連通している請求項１ないし６のいずれか１項に記載のカニューレユニット。
【請求項８】
ダーマルフィラを収容したシリンダの一端にカニューレが装着されているプレフィルド注射器において、
管状に形成されており、前記ダーマルフィラを流す管路の一端が側面に第１の開口を形成しており、先端部に第２の開口が形成されている前記カニューレと、
前記カニューレの内径よりも小さな外径をもち、前記管路に挿通されており、一端が前記第２の開口に接続し、他端が前記カニューレの基端側に配されたチューブと
を備えることを特徴とするプレフィルド注射器。
【発明の詳細な説明】
【技術分野】
【０００１】
本発明は、カニューレユニット及びプレフィルド注射器に関する。
【背景技術】
【０００２】
ヒトの顔にはりをもたせて、ほうれい線を目立たなくしたり、しわを減らすために、皮内や皮下にダーマルフィラ（Dermal Filler，皮膚充填剤）を注入する手法が知られている。ダーマルフィラとしてはヒアルロン酸などがあり、一般的には液体（ゲル状物も含む）である。
【０００３】
ダーマルフィラの注入は、注射器を用いて行われる。注射器に用いる注射針としては、先端が鋭い、すなわち先鋭な注射針であるいわゆる鋭針を用いることもあるし、先端に丸みを帯びたいわゆる鈍針を用いることもあり、後者はカニューレとも呼ばれる。皮膚への刺し易さ及び皮膚における進入のし易さは、先端の鋭利さゆえに鋭針の方が有利である。しかし、一方で、鋭針はその先端で血管を損傷しやすい。
【０００４】
そこで、例えば特許文献１には、注射針の内筒に溝を形成し、その上に分離可能な透明な外筒を設けた注射針が記載されている。この注射針は、血管内に入ると、溝の毛細管現象により血液が溝に入って流れるので、透明な外筒を介して血液が目視で確認される。これにより、注射針が血管を突き破ったり、血管に達していないことがわかるようになっている。
【０００５】
特許文献１は、血管内に注射針を挿入することが前提ゆえ、鋭針としている。しかし、ダーマルフィラの注入においては、血管内に注射針の先端が入ってしまうことは望ましくない。ダーマルフィラが血管内に入ってしまった場合には、例えばダーマルフィラで血管が閉塞して（血管内塞栓）、皮膚が壊死してしまったり、失明や脳梗塞を招くことがあるからである。そこで、ダーマルフィラの注入には、先端が丸みを帯びているカニューレの使用が広がっている。
【０００６】
しかしカニューレであっても血管内に入ることがある。この点、特許文献２では、カニューレの液体を出す出口端部と近位または同じ高さにある入口を有する通路をカニューレの外周に設けている。環状の横断面を有するこの流路は、カニューレと同軸であり、カニューレの外周に設けた管によって画定されている。血液は、カニューレの周りの流路に流れ込み、カニューレの基端側に設けたハブに向かう。カニューレの外周に設けた管を透明としているので、血液はこの流路を流れると目視で確認される。
【先行技術文献】
【特許文献】
【０００７】
【特許文献１】実公平０３−０８５０４６号公報
【特許文献２】特表２０１７−５３４４３１号公報
【発明の概要】
【発明が解決しようとする課題】
【０００８】
特許文献２のカニューレは、血液を目視により確認できるものの、カニューレとカニューレの外周の管とにより、血管を依然として損傷してしまうことがあり、使用者の技量などによっては注射針の先端が血管内に入り込む確率が上がってしまう。そのため、特許文献２のカニューレをダーマルフィラの注入に用いた場合には、ダーマルフィラを血管内に入れてしまう危険性は軽減されない。
【０００９】
そこで、本発明は、ダーマルフィラの注入に際し、カニューレが誤って血管内に入ってもダーマルフィラによる血管内塞栓が防止されるカニューレユニット及びプレフィルド注射器を提供することを目的とする。
【課題を解決するための手段】
【００１０】
本発明のカニューレユニットは、カニューレと、チューブとを備える。カニューレは、管状に形成されており、ダーマルフィラを流す管路の一端が側面に第１の開口を形成しており、先端部に第２の開口が形成されている。チューブは、カニューレの内径よりも小さな外径をもち、カニューレの管路に挿通されている。チューブの一端は上記の第２の開口に接続し、他端はカニューレの基端側に配されている。
【００１１】
上記先端部は、先端に向かうに従い外径が漸減していることが好ましく、先端部は円錐形状であることがより好ましい。
【００１２】
カニューレを上記先端側から見たときに、上記先端はカニューレの断面円形の中央に位置していることが好ましい。
【００１３】
上記の第２の開口は、上記先端部のうち先端を避けた位置とされていることが好ましい。
【００１４】
カニューレは、長手方向において外径が一定の胴部と、この胴部に接続する上記先端部とを有し、上記第１の開口は胴部に形成されていることが好ましい。
【００１５】
カニューレユニットは、カニューレを基端側で支持する支持部材をさらに備え、チューブの他端はカニューレの管路の他端から突出し、チューブの中空部は支持部材に形成された貫通孔に連通していることが好ましい。
【００１６】
本発明のプレフィルド注射器は、上記のカニューレ及びチューブを備え、ダーマルフィラを収容したシリンダの一端にカニューレが装着されている。
【発明の効果】
【００１７】
本発明によれば、ダーマルフィラの注入に際し、カニューレが誤って血管内に入ってもダーマルフィラによる血管内塞栓が防止される。
【図面の簡単な説明】
【００１８】
【図１】プレフィルド注射器の一部断面概略図である。
【図２】カニューレユニットの断面図である。
【図３】カニューレユニットの先端部の説明図であり、（Ａ）は長手方向に沿った断面図、（Ｂ）はカニューレユニットを先端側から見た平面概略図である。
【図４】別の実施形態であるカニューレの先端部の説明図である。
【図５】別の実施形態であるカニューレの先端部の説明図である
【発明を実施するための形態】
【００１９】
図１に示すプレフィルド注射器１０は、本発明の実施形態の一例であり、ダーマルフィラ１１を、例えばヒトの顔のほうれい線やしわなどに注入するためのものである。ダーマルフィラ１１は、皮膚（皮内及び／または皮下）に注入される充填剤であり、ダーマフィラ、皮膚充填剤と呼ばれることもある。この例でのダーマルフィラ１１は、ヒアルロン酸を充填基剤として含有するゲル（ジェル）状物である。ダーマルフィラ１１は、充填基剤の他に、生理食塩水やリドカインなどをさらに含有していてもよい。ヒアルロン酸に加えて、または代わりにヒアルロン酸誘導体（例えばヒアルロン酸ナトリウム）を用いてもよい。ダーマルフィラ１１における充填基剤はこの例のヒアルロン酸に限定されず、例えば、ポリアクリルアミドなどがある。なお、ポリアクリルアミドは、皮膚に吸収されないあるいは吸収されにくいから、パーマネントフィラに分類されることが通例である。
【００２０】
ヒアルロン酸は、Ｄ−グルクロン酸とＮ−アセチル−Ｄ−グルコサミンとが、直鎖状に交互に結合した構造を有し、グルクロン酸のカルボキシル基の水素がナトリウムに置き換えられているナトリウム塩（すなわちヒアルロン酸誘導体）の形で分離精製されることが一般的である。ヒアルロン酸は、分子量が非常に大きいムコ多糖類であり、ダーマルフィラ１１として用いられるものは、直鎖をまとめて架橋構造を構成することで粒子状になっているものが多い。ダーマルフィラ１１として用いるヒアルロン酸のゲル状物は、例えば膝などの関節に注入して広く用いられるヒアルロン酸製剤よりも、非常に粘度が高く、用途によって粘度が調整される。本例でのダーマルフィラ１１として用いるヒアルロン酸含有のゲル状物は、上記のようにほうれい線やしわの軽減に用いるものとして一般的な粘度にされている。ヒアルロン酸を含有するダーマルフィラ１１としては市販品を用いてよく、市販品としては、例えば、アラガン・ジャパン（株）のジュビダームビスタ（登録商標）などがある。
【００２１】
プレフィルド注射器１０は、シリンダ（注射筒）１２と、プレフィルドシリンジ用ガスケット（以下、単に「ガスケット」と称する）１３と、プランジャ１６と、カニューレユニット１７と、ダーマルフィラ１１とを備える。このように、プレフィルド注射器１０は、注射する液体（ゲルを含み、この例ではダーマルフィラ１１である）が予め収容された注射器である。
【００２２】
シリンダ１２は、円柱状であり、一方の端部には、カニューレユニット１７が装着される細径の装着部１２ａが設けられ、他方の端部にはシリンダ１２の径方向に突出した突出部１２ｂが設けられている。この例での突出部１２ｂは、断面円形のシリンダ１２の軸心に関して対象な方向にそれぞれ延び（例えば、図１においては右方向と左方向とのそれぞれに延び）ており、延びた先端が装着部１２ａ側にわずかに屈曲している。この屈曲部に使用者が指などを当てた状態にすることにより、プレフィルド注射器１０の姿勢がより安定する。突出部１２ｂの代わりに、フランジ（図示無し）を設けてもよい。
【００２３】
この例のシリンダ１２はプラスチック（ポリマー）製となっているが、ガラス製であってもよい。シリンダ１２の素材は、ダーマルフィラ１１を変質させない、及び、ダーマルフィラ１１によって劣化しないなど、ダーマルフィラ１１の種類及び保管期間などを考慮して選定される。
【００２４】
ガスケット１３は、円柱形状である。ガスケット１３はシリンダ１２の内径よりも大きな外径をもち、径方向に弾性変形させてシリンダ１２内に挿入されており、ダーマルフィラ１１を収容したシリンダ１２の内部を気密かつ液密に封止する。また、このガスケット１３は、シリンダ１２の内部で、シリンダ１２の軸心方向に摺動可能になっており、ダーマルフィラ１１を注射する際に突出部１２ｂ側から装着部１２ａに向けて（矢印Ａ方向）に移動され、カニューレユニット１７のカニューレ２１からダーマルフィラ１１を押し出す。このようにガスケット１３は、ダーマルフィラ１１を皮膚に注入する注入時にはパッキンとして機能する。
【００２５】
プランジャ１６は、シリンダ１２の内径よりも小さな外径をもつ円柱形状であり、長手方向における一方の先端がガスケット１３に取り付けられている。このプランジャ１６を装着部１２ａに向けて押圧することにより、ガスケット１３を摺動させる。
【００２６】
カニューレユニット１７は、カニューレ２１と後述のチューブ２２（図２参照）とを備えており、さらに、接合部２５とキャップ２６とを備えることが好ましく、本例でもそのようにしている。カニューレ２１は、丸みを帯びた先端をもついわゆる鈍針であり、先端から皮膚へ刺され、ガスケット１３の装着部１２ａへ向けた移動によりダーマルフィラ１１を注入する。なお、カニューレ２１は、先端が丸みを帯びているから、先鋭ないわゆる鋭針と比べて皮膚へ刺しにくい場合があり、太いほどその傾向は強い。そのような場合には、カニューレ２１を刺す前に、先鋭な鋭針を皮膚に刺し、これによりカニューレ２１を刺しやすくしてもよい。
【００２７】
接合部２５は、カニューレ２１とシリンダ１２とを接合し、カニューレ２１を安定に保持するためのものである。この例の接合部２５は、支持部材２７と固定部材２８とを有するが、支持部材２７と固定部材２８とは一体に形成されていてもよい。このように、接合部２５はカニューレ２１とシリンダ１２とを接合しカニューレ２１を安定に保持するものであれば他のものでも構わない。
【００２８】
支持部材２７と固定部材２８とのそれぞれは、管状に形成されている。支持部材２７はカニューレ２１をその基端側で支持し、装着部１２ａに接合させる。固定部材２８の内径は支持部材２７及び装着部１２ａのサイズに合わせられており、この例では固定部材２８内に支持部材２７及び装着部１２ａのそれぞれが嵌合する内径とされている。この固定部材２８により、カニューレ２１は支持部材２７を介してシリンダ１２に、より安定に保持される。例えば皮膚へカニューレ２１が刺される際や、進入される際、及び、ダーマルフィラ１１を注入している間などにおいて、カニューレ２１の姿勢がより安定する。また、支持部材２７のみでカニューレ２１をシリンダ１２に装着している場合に比べて、装着部１２ａへの局部的な応力負荷が抑制され、装着部１２ａがより破損しにくい。なお、固定部材２８と支持部材２７及び装着部１２ａのそれぞれとの接合は、嵌合に限定されず、例えば螺合や係合などであってもよい。なお、支持部材２７の詳細は他の図面を用いて後述する。
【００２９】
カニューレ２１及び支持部材２７には、キャップ２６が嵌められており、カニューレユニット１７及びダーマルフィラ１１などの汚染などを防止する。このキャップ２６は、着脱自在であり、プレフィルド注射器１０の使用時には、キャップ２６が外されてカニューレ２１が皮膚へ挿入される。
【００３０】
管状の支持部材２７の穴には、図２に示すように、カニューレ２１と装着部１２ａとがそれぞれ嵌合している。また、支持部材２７には、穴から側面に向かって貫通した貫通孔２７ａが形成されている。カニューレ２１は、ダーマルフィラ１１を皮膚へ案内するためのものであり、管状に形成されている。カニューレ２１は、長手方向において外径Ｄ２１が一定である胴部２１ａと、先端２１ｔに向かうに従い外径２１が連続的に漸減している先端部２１ｂとを備える。この例の先端部２１ｂは、断面半円形の球冠状である。カニューレ２１の側面には第１の開口３１が形成されており、先端部２１ｂには第２の開口３２が形成されている。なお、図２においては固定部材２８の図示は略してある。カニューレ２１の素材は注射針として用いられている公知の素材でよく、本例では金属としている。
【００３１】
チューブ２２は、皮膚に刺さっているカニューレ２１の先端部２１ｂが血管内に位置していることを検知するためのものである。カニューレ２１の管路２１ｐには、カニューレ２１の内径ｄ２１よりも小さな外径Ｄ２２をもつチューブ２２が挿通されており、チューブ２２の一端が第２の開口３２に接続し、他端がカニューレ２１の基端側に接続している。これによりカニューレ２１の内部には、チューブ２２の外周にダーマルフィラ１１の流路が装着部１２ａの中空部と連通した状態に形成され、シリンダ１２から押し出されてきたダーマルフィラ１１が第１の開口３１から出る。先端部２１ｂは球冠状であり、先端２１ｔは丸みを帯びているから血管の損傷が抑えられている。しかし、先端部２１ｂが血管に当たって、血管内に達してしまった場合には、先端部２１ｂに形成されている第２の開口３２から血液ＢＬが入り込み、チューブ２２内を通ってチューブ２２の他端から出る。このようにチューブ２２の他端開口は血液ＢＬを目視で検出する検出窓として機能している。第１の開口３１は胴部２１ａに形成しており、第２の開口３２は、第１の開口３１よりも先端２１ｔ側の先端部２１ｂに形成することが好ましく、本例でもそのようにしてある。
【００３２】
第１の開口３１はカニューレ２１の側面に形成されているから、皮膚の目的とする位置で目的とする方向に、より確実にダーマルフィラ１１が注入される。さらに、第１の開口３１は、胴部２１ａの側面に形成されているから、皮膚の目的とする位置で目的とする方向に、さらに確実にダーマルフィラ１１が注入される。
【００３３】
チューブ２２は、カニューレ２１の内径ｄ２１よりも外径Ｄ２２が細く、このように非常に細い。例えば、２３Ｇ（ゲージ）のカニューレ２１の内部には、一例として３４Ｇ（ゲージ）の太さのチューブ２２を設けることができる。カニューレ２１の太さとチューブ２２との太さとの差（チューブのゲージ数からカニューレのゲージ数を減算したゲージ数）は、この例では１１Ｇとなっており、概ね、少なくとも１０Ｇ（ゲージ）であることが、ダーマルフィラ１１の出方がより好適になるなどの点で、より好ましい。また、チューブ２２の素材が人体への悪影響が抑えられている素材とされる。そのような素材としては、例えば公知の注射針の素材である金属でもよいし、あるいは医療用具に広く用いられているシリコーン系材料でもよい。
【００３４】
また、カニューレ２１の管路に挿通されているチューブ２２の一端は第２の開口３２に接続し、他端はカニューレ２１の基端側に配されているから、カニューレ２１のダーマルフィラ１１の流路はチューブ２２によってチューブ２２の中空部２２ｐと独立した状態に形成されている。これにより、血液ＢＬの流路とダーマルフィラ１１の流路とが独立するから、カニューレユニット１７の内部、さらにはプレフィルド注射器１０の内部で、ダーマルフィラ１１に血液ＢＬが混ざることがない。このように血液ＢＬとダーマルフィラ１１との流路が独立すればよいから、チューブ２２はカニューレ２１の管路の中で曲がっていても構わない。
【００３５】
この例では第１の開口３１は胴部２１ａに、第２の開口３２は先端部２１ｂに形成されている。このように、チューブ２２の一端が接続する第２の開口３２は、ダーマルフィラ１１の出口である第１の開口３１よりも先端２１ｔ側に形成されているから、カニューレ２１の先端部２１ｂが血管内にある場合には、迅速に血液がチューブ２２内を通って検出窓に案内される。案内された血液が目視で検出された場合には、ダーマルフィラ１１の注入をせずにいれば、血管内にダーマルフィラ１１が入ることがない。その結果、ダーマルフィラ１１による血管内塞栓が防止される。すなわち、カニューラ２１を皮膚へ刺し、チューブ２２の他端である検出窓に血液ＢＬが検出されないことを確認した上で、ダーマルフィラ１１の注入は開始される。これにより、ダーマルフィラ１１は、血管内塞栓をより確実に防止した状態で注入される。なお、検出窓には、血液を吸収し、かつ、吸収した血液が目視で確認される紙（例えばろ紙など）などを設けてもよい。
【００３６】
この例では、チューブ２２の他端は、カニューレ２１の管路２１ｐの基端から引き出されて突出した状態とされており、支持部材２７の貫通孔２７ａに接続している。チューブ２２の他端は、カニューレ２１の他端側に配してあればよく、支持部材２７に接続する態様に限られない。例えばカニューレ２１の基端近傍に貫通孔（図示無し）を形成し、この貫通孔にチューブ２２の他端を接続してもよい。この場合には、カニューレ２１に血液ＢＬの検出窓が形成されていることになる。
【００３７】
図３の（Ａ）に示すように、先端２１ｔは、カニューレ２１の軸心上に位置しており、すなわちカニューレ２１を先端２１ｔ側から見たときに、図３（Ｂ）に示すように先端２１ｔはカニューレ２１の断面円形の中央に位置している。第２の開口３２は、先端２１ｔに設けてもよいが、先端部２１ｂのうち先端２１ｔを避けた位置とされていることが好ましく、本例でもそのようにしている。これにより、第２の開口３２の縁によって血管が損傷する可能性がより低くされている。なお、図３の（Ｂ）においては、図の煩雑化を避けるために、第２の開口３２の内部にあるチューブ２２の図示を略してある。
【００３８】
カニューレ２１を先端２１ｔ側から見たときに、本例の第２の開口３２は、第１の開口３１と先端２１ｔに関して対象の位置に設けてある。しかし、カニューレ２１を先端２１ｔ側から見た場合における第２の開口３２の位置はこれに限定されず、例えば第１の開口３１と重なる位置でもよいし、先端２１ｔを中心に９０度回転した位置などであってもよい。
【００３９】
チューブ２２は、第２の開口３２においてカニューレ２１の外表面よりも内部側に位置していることが好ましく、本例でもそのようにしている。これにより、チューブ２２の一端の縁によって血管を損傷することがより抑制されている。また、第２の開口３２とカニューレ２１の外表面との境界である第２の開口３２の縁は、図３の（Ａ）に示すように、丸みを帯びていることが好ましく、これにより、第２の開口３２の縁によって血管を損傷することが抑制されている。ただし、図３の（Ｂ）においては、第２の開口３２の縁を稜線として説明の便宜上描いてある。
【００４０】
先端部２１ｂは、先端２１ｔに向かうほど外径Ｄ２１が漸減していることが、皮膚へのカニューレの刺し込みの観点で好ましいが、先端部２１ｂの形状は上記例の球冠状に限られない。例えば、図４に示すカニューレ４１の先端部４１ｂは、先端４１ｔに向かうほど外径Ｄ２１（図２参照）が漸減している点は先端部２１ｂと同様であるが、円錐形状である。円錐形状であることにより、カニューレ４１は、胴部２１ａの太さがカニューレ２１と同じであっても皮膚へ刺しやすい。また、先端４１ｔは、先端２１ｔと同様に丸みを帯びており、血管をより確実に損傷しにくい。すなわち、カニューレ４１は、皮膚への刺しやすさと血管の損傷抑制とが両立している点で優れる。なお、図４において、図２及び図３と同じ部材及び部位については図２及び図３と同じ符号を付し、説明を略す。
【００４１】
この例の第２の開口３２もカニューレ２１（図２参照）の場合と同様に、胴部２１ａに接続した先端部４１ｂに形成されている。このように、第２の開口３２は第１の開口３１よりも先端４１ｔ側にあるから、カニューレ２１の場合と同様に、先端部４１ｂが血管内に位置しているか否かを、ダーマルフィラ１１の注入前に検知することができる。なお、側面の第１の開口３１は、胴部２１ａと先端部４１ｂとにまたがるように形成されており、「側面に形成されている」とはこの例のように先端部４１ｂにかけて形成されている場合も含む。
【００４２】
カニューレ４１もカニューレ２１と同様に、先端４１ｔ側から見たときの第２の開口３２は、第１の開口３１と先端２１ｔに関して対象の位置に設けてある。しかし、カニューレ４１を先端４１ｔ側から見た場合における第２の開口３２の位置は、カニューレ２１の場合と同様にこの例に限定されず、例えば第１の開口３１と重なる位置でもよいし、先端２１ｔを中心に９０度回転した位置などであってもよい。
【００４３】
この例においても、第２の開口３２は、先端４１ｔに設けてもよいが、先端部４１ｂのうち先端４１ｔを避けた位置とされていることが好ましく、本例でもそのようにしている。これにより、第２の開口３２の縁によって血管が損傷する可能性がより低くされている。
【００４４】
この例の先端４１ｔも先端２１ｔ（図３参照）と同様に、カニューレ４１の軸心上に位置しており、すなわち、カニューレ４１を先端４１ｔ側から見たときに、先端４１ｔはカニューレ４１の断面円形の中央に位置している。しかし、カニューレ４１を先端４１ｔ側から見たときの先端４１ｔの位置はこの例に限定されない。
【００４５】
例えば、図５に示すカニューレ５１の先端５１ｔは、カニューレ５１の軸心からずれた位置となっている。カニューレ５１は、先端５１ｔが丸みを帯びた鈍針であり、先端部５１ｂは、先端部４１ｂと同様に円錐形状である。ただし、カニューレ５１を先端５１ｔ側から見たときの先端５１ｔの位置は、カニューレ５１の断面円形の中央からずれている点がカニューレ４１とは異なる。このように、先端５１ｔの位置がカニューレ５１の軸心からずれた位置であってもよい。
【符号の説明】
【００４６】
１０    プレフィルド注射器
１１    ダーマルフィラ
１２    シリンダ
１２ａ  装着部
１２ｂ  突出部
１３    ガスケット
１６    プランジャ
１７    カニューレユニット
２１，４１，５１  カニューレ
２１ａ  胴部
２１ｂ，４１ｂ，５１ｂ  先端部
２１ｐ  管路
２１ｔ，４１ｔ，５１ｔ  先端
２２    チューブ
２２ｐ  中空部
２５    接合部
２６    キャップ
２７    支持部材
２７ａ  貫通孔
２８    固定部材
３１    第１の開口
３２    第２の開口
ＢＬ    血液
Ｄ２１，Ｄ２２  外径
ｄ２１  内径
【図１】
2020178969.tif 000003
【図２】
2020178969.tif 000004
【図３】
2020178969.tif 000005
【図４】
2020178969.tif 000006
【図５】
2020178969.tif 000007